(57)【要約】      （修正有）【課題】一般的な使用者が、容易に取外し及び取付を行うことができるフラップ扉を備える棚等を提供する。【解決手段】フラップ扉２を備える棚１は、向かい合う２枚の側板と、２枚の側板の間に着脱可能に架設された軸棒７とを備え、フラップ扉２は、扉板３と、扉板３に接続している留め具５とを備え、留め具５は、扉板３に交差する方向に接続された部材が扉板３に平行に近づく方向に屈曲している第１屈曲部を有し、留め具５が第１屈曲部において軸棒７に引っかかっている状態でフラップ扉２を回動させることにより、フラップ扉２が開閉される。【選択図】図１
0003232506.tif 000002
【実用新案登録請求の範囲】
【請求項１】
フラップ扉を備える棚であって、
向かい合う２枚の側板と、
２枚の前記側板の間に着脱可能に架設された軸棒とを備え、
前記フラップ扉は、
扉板と、
前記扉板に接続している留め具とを備え、
前記留め具は、前記扉板に交差する方向に接続された部材が前記扉板に平行に近づく方向に屈曲している第１屈曲部を有し、
前記留め具が前記第１屈曲部において前記軸棒に引っかかっている状態で前記フラップ扉を回動させることにより、前記フラップ扉が開閉される、棚。
【請求項２】
前記留め具は、前記第１屈曲部よりも前記扉板に接続していない側の先端を含む部位が前記扉板から遠ざかる方向に屈曲している第２屈曲部をさらに有する、請求項１記載の棚。
【請求項３】
フラップ扉を備える棚であって、
向かい合う２枚の側板と、
２枚の前記側板のそれぞれに着脱可能に接続された２本の短棒とを備え、
前記フラップ扉は、
扉板と、
前記扉板に接続している２つの留め具とを備え、
２本の前記短棒は、お互いに分離されており、
前記留め具は、前記扉板に交差する方向に接続された部材が前記扉板に平行に近づく方向に屈曲された第１屈曲部を有し、
２つの前記留め具が前記第１屈曲部において２つの前記短棒に引っかかっている状態で前記フラップ扉を回動させることにより、前記フラップ扉が開閉される、棚。
【請求項４】
棚に用いられるフラップ扉であって、
扉板と、
前記扉板に接続している留め具とを備え、
前記留め具は、前記扉板に交差する方向に接続された部材が前記扉板に平行に近づく方向に屈曲された第１屈曲部を有する、フラップ扉。
【請求項５】
前記留め具は、前記第１屈曲部よりも前記扉板に接続していない側の先端を含む部位が前記扉板から遠ざかる方向に屈曲している第２屈曲部をさらに有する、請求項４記載のフラップ扉。
【考案の詳細な説明】
【技術分野】
【０００１】
本考案は、フラップ扉を備える棚及びフラップ扉に関するものである。
【背景技術】
【０００２】
棚の収納空間である収納部の開口を開閉する扉として、フラップ扉が知られている（特許文献１参照）。本願では、フラップ扉として、収納部の使用者から見て手前側の開放面である開口の上端付近を回転軸として回動する扉をいう。フラップ扉の中には、扉を収納部の上側で前後にスライドするように取り付け、扉を引き出した状態で、ダンパー軸を介して扉を下側に回動させて収納部の手前側の開口を閉じ、開放する場合は、ダンパー軸を支点に扉を手前に回し、略水平にした状態で、扉を収納部の天板の上側の空間にスライドさせて開放するものがある（特許文献１）。
【先行技術文献】
【特許文献】
【０００３】
【特許文献１】実用新案登録第２５６９５９４号公報
【考案の概要】
【考案が解決しようとする課題】
【０００４】
しかしながら、従来の構造では、フラップ扉が技術的に高度に構成されており、万一フラップ扉が故障した際、フラップ扉の取外し及び取付の作業を一般のユーザーが容易に行うことが困難であった。
【０００５】
そこで、本考案は、一般的な使用者が、容易に取外し及び取付を行うことができるフラップ扉を備える棚等を提供することを目的とする。
【課題を解決するための手段】
【０００６】
本考案の第１の観点は、フラップ扉を備える棚であって、向かい合う２枚の側板と、２枚の前記側板の間に着脱可能に架設された軸棒とを備え、前記フラップ扉は、扉板と、前記扉板に接続している留め具 とを備え、前記留め具は、前記扉板に交差する方向に接続された部材が前記扉板に平行に近づく方向に屈曲している第１屈曲部を有し、前記留め具が前記第１屈曲部において前記軸棒に引っかかっている状態で前記フラップ扉を回動させることにより、前記フラップ扉が開閉される、棚である。
【０００７】
本考案の第２の観点は、第１の観点の棚であって、前記留め具は、前記第１屈曲部よりも前記扉板に接続していない側の先端を含む部位が前記扉板から遠ざかる方向に屈曲している第２屈曲部をさらに有する。
【０００８】
本考案の第３の観点は、フラップ扉を備える棚であって、向かい合う２枚の側板と、２枚の前記側板のそれぞれに着脱可能に接続された２本の短棒とを備え、前記フラップ扉は、扉板と、前記扉板に接続している２つの留め具とを備え、２本の前記短棒は、お互いに分離されており、前記留め具は、前記扉板に交差する方向に接続された部材が前記扉板に平行に近づく方向に屈曲された第１屈曲部を有し、２つの前記留め具が前記第１屈曲部において２つの前記短棒に引っかかっている状態で前記フラップ扉を回動させることにより、前記フラップ扉が開閉される、棚である。
【０００９】
本考案の第４の観点は、棚に用いられるフラップ扉であって、扉板と、前記扉板に接続している留め具とを備え、前記留め具は、前記扉板に交差する方向に接続された部材が前記扉板に平行に近づく方向に屈曲された第１屈曲部を有する、フラップ扉である。
【００１０】
本考案の第５の観点は、第４の観点のフラップ扉であって、前記留め具は、前記第１屈曲部よりも前記扉板に接続していない側の先端を含む部位が前記扉板から遠ざかる方向に屈曲している第２屈曲部をさらに有する。
【考案の効果】
【００１１】
本考案の各観点によれば、軸棒を外すことにより、容易にフラップ扉を取り外すことができる。そのため、一般的な使用者が、容易に取外し及び取付を行うことができるフラップ扉を備える棚等を提供することが可能になる。
【００１２】
本考案の第２又は第５の観点によれば、留め具の扉板に接続していない側の先端が扉板とは反対方向に屈曲しているため、フラップ扉を閉めるためにスライドさせる際、留め具が第２屈曲部で軸棒に引っかかることを防止し、適切に第１屈曲部で引っかかることが容易となる。
【図面の簡単な説明】
【００１３】
【図１】本考案のフラップ扉を備える棚の断面図である。
【図２】本考案のフラップ扉を外した状態の棚の斜視図である。
【図３】本考案のフラップ扉の裏面を示す図である。
【図４】本考案の側板の概要を示す図である。
【図５】本考案のフラップ扉を(a)閉じた状態、(b)回動させて開いた状態、及び、(c)スライドさせて収納部内に収容した状態を示す写真である。
【図６】本考案の２本の短パイプを備える棚の概要を示す図である。
【考案を実施するための形態】
【００１４】
以下、図を参照して本考案の実施形態について詳細に説明する。なお、本考案の実施の形態は、以下の記載に限定されるものではない。
【実施例１】
【００１５】
図１は、本考案のフラップ扉を備える棚の断面図である。棚１（本願請求項における「棚」の一例）は、扉板３（本願請求項における「扉板」の一例）と金具５（本願請求項における「留め具」の一例）を有するフラップ扉２（本願請求項における「フラップ扉」の一例）と、パイプ７（本願請求項における「軸棒」の一例）と、収納空間である収納部９と、棚板１１と、天板１３と、側板１５（本願請求項における「側板」の一例）と、背板１７とを備える。また、図１では、閉じた状態のフラップ扉（３close、５close）と、回動させて開けた状態のフラップ扉（３open、５open）を示している。
【００１６】
図２は、本考案のフラップ扉２を外した状態の棚１の斜視図である。パイプ７は、向かい合う２枚の側板１５の間に着脱可能に架設されている。
【００１７】
図３は、本考案のフラップ扉が棚に用いられた際に収納空間である収納部に面する側（裏面）の一例を示す図である。フラップ扉２は、扉板３と、取っ手４と、扉板に接続している２つの金具５１及び５２とを備える。扉板３は、長方形の形状をしている。図３には、扉板３の４辺のうち、短辺６１、長辺８１及び８２を含む一部が表示されている。２つの金具５１及び５２は、短辺６１に近いところであって、それぞれ長辺８１及び８２に近いところに、短辺６１に平行に配置されている。金具５は、金属でできたＵ字又はＶ字の部材の開口部を扉板３に接続し、第１屈曲部２１（本願請求項における「第１屈曲部」の一例）及び第２屈曲部２３（本願請求項における「第２屈曲部」の一例）の２ヶ所で屈曲した形状で構成されている。パイプ７に引っかかるための第１屈曲部２１は、扉板３と平行に近づく方向であって、短辺６１から遠ざかる方向に屈曲している。また、扉板３と第１屈曲部２１との間には、パイプ７が入り込むことができる距離が確保されている。第２屈曲部２３は、第１屈曲部２１よりも扉板３に接続していない側の先端を含む部位であって、扉板３から遠ざかる方向に屈曲している。
【００１８】
図４は、本考案の側板１５の概要を示す図である。側板１５の内側には、略水平方向に入ったスレ桟部３１と、パイプを挿入するためのパイプ穴部３３が形成されている。
【００１９】
図５は、本考案のフラップ扉を(a)閉じた状態、(b)回動させて開いた状態、及び、(c)スライドさせて収納部内に収容した状態を示す写真である。
【００２０】
本考案のフラップ扉は、金具５の第１屈曲部２１がパイプ７に引っかかっている状態において回動（図１のＡ矢印）させることにより開閉できる。また、スレ桟部３１に沿ってフラップ扉をスライド（図１のＢ矢印）させることにより、収納部９内にフラップ扉を収容し、開いた状態を維持することができる。
【００２１】
また、パイプ７をパイプ穴部３３から引き抜く（図２のＣ矢印）ことにより、容易にフラップ扉を取り外すことができる。
【００２２】
さらに、金具５の扉板３に接続していない側の先端が扉板３とは反対方向に屈曲しているため、スレ桟部３１に沿ってフラップ扉をスライドさせるときに（図１のＢ矢印）、金具５がパイプ７に引っかかってしまうことを防止できる。
【００２３】
また、従来のフラップ扉では、扉板の大きさに応じた長さのレール金具を取り付ける必要があった。しかし、本考案のフラップ扉に用いる金具５は、扉板３より短ければよく、扉板３の大きさによらず対応可能な利点もある。
【００２４】
なお、パイプ７の代わりに、２本の短パイプ４１（本願請求項における「短棒」の一例）を用いてもよい。ただし、留め具５は、長辺８から短パイプ４１の長さよりも短い位置に配置される。図６は、本考案の２本の短パイプ４１を備える棚の(a)正面図及び(b)斜視図であり、フラップ扉を外した状態の図である。向かい合う２枚の側板４３にはそれぞれ１か所ずつねじ穴４５が形成されている。短パイプ４１の一端にはねじ部４７が形成されている。スレ桟部３１の上にフラップ扉を置いた後に、ねじ穴４５に短パイプ４１をねじ込むことにより、容易にフラップ扉を取り付けることができる。また、収納部９内にフラップ扉を収容した状態で、ねじ穴４５から２本の短パイプ４１を取り外せば、容易にフラップ扉を取り外すことができる。
【００２５】
また、扉板の形状は、長方形に限られず、デザイン性や機能面を考慮した他の形状であってもよい。さらに、金具の形状は、Ｕ字又はＶ字の他の形状の部材を屈曲させた形状であってもよい。また、金具の形状は、棒状のものを屈曲させた構造ではなく、面状のものを屈曲させ、又は、湾曲させた形状であってもよい。さらに、金具の代わりに別の材質の部材を用いたものであってもよい。
【符号の説明】
【００２６】
１；棚、２；フラップ扉、３；扉板、４；取っ手、５；金具、６；短辺、７；パイプ、８；長辺、９；収納部、１１；棚板、１３；天板、１５；側板、１７；背板、２１；第１屈曲部、２３；第２屈曲部、
３１；スレ桟部、３３；パイプ穴部、４１；短パイプ、４３；側板、４５；ねじ穴、４７；ねじ部
【図１】
0003232506.tif 000003
【図２】
0003232506.tif 000004
【図３】
0003232506.tif 000005
【図４】
0003232506.tif 000006
【図５】
0003232506.tif 000007
【図６】
0003232506.tif 000008